(57)【特許請求の範囲】
【請求項１】
各種の設定項目の設定情報を更新する第１制御手段と、
通信ネットワークを介して、外部機器と通信可能な第２制御手段とを備え、
通常モード時に、第２制御手段と第１制御手段との両方に通電し、省電力モード時に、第２制御手段に通電する一方、第１制御手段に対する通電を停止させる画像処理装置において、
上記第１制御手段は、
通常モード時において、上記設定情報の更新を促すための第１画面を示す第１画面データを、上記第２制御手段を介して、上記外部機器に送信する第１送信手段と、
省電力モードに移行するときに、上記第１画面データを第２制御手段に送るデータ転送手段とを備え、
上記第２制御手段は、
上記データ転送手段から送られた上記第１画面データを記憶する記憶部と、
省電力モード時において、上記記憶部が記憶する第１画面データを、上記外部機器に送信する第２送信手段と、
省電力モード時において、上記外部機器から、上記設定情報の更新要求を受け付ける更新要求受付手段と、
上記更新要求受付手段が受け付けた更新要求を、通常モードに移行するまで保持し、通常モードに移行した後、第１制御手段に出力する更新要求出力手段とを備えることを特徴とする画像処理装置。
【請求項２】
各種の設定項目の設定情報を更新する第１制御手段と、
通信ネットワークを介して、外部機器と通信可能な第２制御手段とを備え、
通常モード時に、第２制御手段と第１制御手段との両方に通電し、省電力モード時に、第２制御手段に通電する一方、第１制御手段に対する通電を停止させる画像処理装置において、
上記第１制御手段は、
通常モード時において、上記設定情報の更新を促すための第１画面を示す第１画面データを、上記第２制御手段を介して、上記外部機器に送信する第１送信手段と、
省電力モードに移行するときに、上記第１画面とは異なる、上記設定情報の更新を促すための第２画面を示す第２画面データを第２制御手段に送るデータ転送手段とを備え、
上記第２制御手段は、
上記データ転送手段から送られた上記第２画面データを記憶する記憶部と、
省電力モード時において、上記記憶部が記憶する第２画面データを、上記外部機器に送信する第２送信手段と、
省電力モード時において、上記外部機器から、上記設定情報の更新要求を受け付ける更新要求受付手段と、
上記更新要求受付手段が受け付けた更新要求を、通常モードに移行するまで保持し、通常モードに移行した後、第１制御手段に出力する更新要求出力手段とを備えることを特徴とする画像処理装置。
【請求項３】
上記第２画面データは、上記第１画面データよりもデータ容量が小さいことを特徴とする請求項２に記載の画像処理装置。
【請求項４】
上記第２画面に含まれる上記設定項目は、上記第１画面に含まれる上記設定項目の一部であることを特徴とする請求項２に記載の画像処理装置。
【請求項５】
各種の設定項目の設定情報を更新する第１制御手段と、
通信ネットワークを介して、外部機器と通信可能な第２制御手段とを備え、
通常モード時に、第２制御手段と第１制御手段との両方に通電し、省電力モード時に、第２制御手段に通電する一方、第１制御手段に対する通電を停止させる画像処理装置において、
上記第２制御手段は、
省電力モード時において、上記外部機器から、上記設定情報の更新要求を受け付ける更新要求受付手段と、
上記更新要求受付手段が受け付けた更新要求を、通常モードに移行するまで保持し、通常モードに移行した後、第１制御手段に出力する更新要求出力手段と、
上記各設定項目と第１制御手段を通常モードに復帰させるか否かを示す復帰要否情報とを対応付けた対応付け情報を参照して、上記更新要求受付手段が受け付けた更新要求により示される新たな設定情報の設定項目に対応する上記復帰要否情報を特定し、特定した復帰要否情報に基づいて、上記第１制御手段に通電を開始させる復帰手段とを備えることを特徴とする画像処理装置。
【請求項６】
上記第２制御手段は、
上記更新要求受付手段が受け付けた更新要求により示される新たな設定情報に基づいて、所定の処理を行う処理手段を備えることを特徴とする請求項１から５の何れか１項に記載の画像処理装置。
【請求項７】
各種の設定項目の設定情報を更新する第１制御手段と、
通信ネットワークを介して、外部機器と通信可能な第２制御手段とを備え、
通常モード時に、第２制御手段と第１制御手段との両方に通電し、省電力モード時に、第２制御手段に通電する一方、第１制御手段に対する通電を停止させる画像処理装置における情報伝達方法であって、
上記第１制御手段が、通常モード時において、上記設定情報の更新を促すための第１画面を示す第１画面データを、上記第２制御手段を介して、上記外部機器に送信する第１送信ステップと、
上記第１制御手段が、省電力モードに移行するときに、上記第１画面データを第２制御手段に送る第１画面データ転送ステップとを含み、
上記第２制御手段が、上記第１制御手段から送られた上記第１画面データを記憶する記憶部を備え、
さらに、上記第２制御手段が、省電力モード時において、上記記憶部が記憶する第１画面データを、上記外部機器に送信する第２送信ステップと、
上記第２制御手段が、省電力モード時において、上記外部機器から、上記設定情報の更新要求を受け付ける更新要求受付ステップと、
上記第２制御手段が、上記更新要求を、通常モードに移行するまで保持し、通常モードに移行した後、第１制御手段に出力する更新要求出力ステップとを含むことを特徴とする情報伝達方法。
【請求項８】
各種の設定項目の設定情報を更新する第１制御手段と、
通信ネットワークを介して、外部機器と通信可能な第２制御手段とを備え、
通常モード時に、第２制御手段と第１制御手段との両方に通電し、省電力モード時に、第２制御手段に通電する一方、第１制御手段に対する通電を停止させる画像処理装置における情報伝達方法であって、
上記第１制御手段が、通常モード時において、上記設定情報の更新を促すための第１画面を示す第１画面データを、上記第２制御手段を介して、上記外部機器に送信する第１送信ステップと、
上記第１制御手段が、省電力モードに移行するときに、上記第１画面とは異なる、上記設定情報の更新を促すための第２画面を示す第２画面データを第２制御手段に送る第２画面データ転送ステップとを含み、
上記第２制御手段が、上記第１制御手段から送られた上記第２画面データを記憶する記憶部を備え、
さらに、上記第２制御手段が、省電力モード時において、上記記憶部が記憶する第２画面データを、上記外部機器に送信する第２送信ステップと、
上記第２制御手段が、省電力モード時において、上記外部機器から、上記設定情報の更新要求を受け付ける更新要求受付ステップと、
上記第２制御手段が、上記更新要求を、通常モードに移行するまで保持し、通常モードに移行した後、第１制御手段に出力する更新要求出力ステップとを含むことを特徴とする情報伝達方法。
【請求項９】
上記第２画面データは、上記第１画面データよりもデータ容量が小さいことを特徴とする請求項８に記載の情報伝達方法。
【請求項１０】
上記第２画面に含まれる上記設定項目は、上記第１画面に含まれる上記設定項目の一部であることを特徴とする請求項８に記載の情報伝達方法。
【請求項１１】
各種の設定項目の設定情報を更新する第１制御手段と、
通信ネットワークを介して、外部機器と通信可能な第２制御手段とを備え、
通常モード時に、第２制御手段と第１制御手段との両方に通電し、省電力モード時に、第２制御手段に通電する一方、第１制御手段に対する通電を停止させる画像処理装置における情報伝達方法であって、
上記第２制御手段が、省電力モード時において、上記外部機器から、上記設定情報の更新要求を受け付ける更新要求受付ステップと、
上記第２制御手段が、上記更新要求を、通常モードに移行するまで保持し、通常モードに移行した後、第１制御手段に出力する更新要求出力ステップと、
上記第２制御手段が、上記各設定項目と第１制御手段を通常モードに復帰させるか否かを示す復帰要否情報とを対応付けた対応付け情報を参照して、上記更新要求により示される新たな設定情報の設定項目に対応する上記復帰要否情報を特定し、特定した復帰要否情報に基づいて、上記第１制御手段に通電を開始させる復帰ステップとを含むことを特徴とする情報伝達方法。
【請求項１２】
上記第２制御手段が、上記更新要求により示される新たな設定情報に基づいて、所定の処理を行う処理ステップを備えることを特徴とする請求項８から１１の何れか１項に記載の情報伝達方法。
【請求項１３】
請求項１から６のいずれか１項に記載の画像処理装置の上記の各手段としてコンピュータを機能させるためのプログラム。
【請求項１４】
請求項１３に記載のプログラムを記録したコンピュータ読み取り可能な記録媒体。
【発明の詳細な説明】
【技術分野】
【０００１】
本発明は、複写機やプリンタを含む画像処理装置に関し、特に、各種の設定項目の設定情報を管理する第１制御手段と、通信ネットワークを介して、外部機器と通信可能な第２制御手段とを備え、通常モード時に、第２制御手段と第１制御手段との両方に通電させ、省電力モード時に、第２制御手段に通電させるが、第１制御手段に対する通電を停止させる画像処理装置に関するものである。
【背景技術】
【０００２】
従来、複写機やプリンタを含む画像処理装置として、画像処理などを実行するメイン基板に対して、ネットワーク機能を追加できるようにサブ基板を増設できるものがある。サブ基板としては、ＬＡＮ（Local Area Network）基板やＵＳＢ（Universal Serial Bus）基板などが提供されている。
【０００３】
一般的に、メイン基板およびサブ基板は、プログラムを実行するためのＣＰＵ、プログラムを格納するためのメモリなどで構成されている。画像処理装置の各設定項目（例えば、画像データの送信先や、ネットワーク設定）の設定情報は、メイン基板上のメモリに保持されている。そして、サブ基板は、あくまで外部装置とのＩＦ（インターフェース）部を担う構成が一般的である。
【０００４】
近年、上記画像処理装置には、一定時間動作されない場合、メイン基板への通電を停止させ、サブ基板のみに電源を供給することで、画像処理装置全体の消費電力を抑える、省電力モードを備えているものがある（特許文献１参照）。
【０００５】
また、画像処理装置では、給紙トレイにおける用紙の有無などの状況を示すステータス情報を通知するものがある。特許文献２では、省電力モードであっても、最新のステータス情報を通知するために、通常モードでは、ステータス情報の検知手段をメイン基板と接続させ、省電力モードでは、ステータス情報の検知手段をサブ基板と接続させる技術が開示されている。
【特許文献１】特開平８−２５４９２２号公報（１９９６年１０月１日公開）
【特許文献２】特開２００４−３４４８８号公報（２００４年２月５日公開）
【発明の開示】
【発明が解決しようとする課題】
【０００６】
特許文献１，２では、省電力モード時において、上記設定項目の設定情報の更新方法については、記載されていない。通常、上記設定情報の管理は、メイン基板で行われている。そのため、省電力モード時に、通信ネットワークを介して、上記設定項目の設定情報の更新要求を受けた場合、メイン基板を含む画像処理装置全体を省電力モードから復帰させて対応していた。
【０００７】
しかしながら、設定情報の更新処理の中には、即座に実行する必要がないものも含まれる。このような場合であっても、メイン基板を含む画像処理装置全体を省電力モードから復帰させているために、省電力モード期間を十分に確保することができず、省電力効果を十分に得ることができなかった。
【０００８】
本発明は、各種の設定項目の設定情報を管理する第１制御手段と、通信ネットワークを介して、外部機器と通信可能な第２制御手段とを備え、通常モード時に、第２制御手段と第１制御手段との両方に通電させ、省電力モード時に、第２制御手段に通電させるが、第１制御手段に対する通電を停止させる画像処理装置において、省電力効果を向上させることを目的とする。
【課題を解決するための手段】
【０００９】
本発明に係る画像処理装置は、上記課題を解決するために、各種の設定項目の設定情報を更新する第１制御手段と、通信ネットワークを介して、外部機器と通信可能な第２制御手段とを備え、通常モード時に、第２制御手段と第１制御手段との両方に通電し、省電力モード時に、第２制御手段に通電する一方、第１制御手段に対する通電を停止させる画像処理装置において、上記第２制御手段は、省電力モード時において、上記外部機器から、上記設定情報の更新要求を受け付ける更新要求受付手段と、上記更新要求受付手段が受け付けた更新要求を、通常モードに移行するまで保持し、通常モードに移行した後、第１制御手段に出力する更新要求出力手段とを備えることを特徴とする。
【００１０】
また、本発明に係る情報伝達方法は、各種の設定項目の設定情報を更新する第１制御手段と、通信ネットワークを介して、外部機器と通信可能な第２制御手段とを備え、通常モード時に、第２制御手段と第１制御手段との両方に通電し、省電力モード時に、第２制御手段に通電する一方、第１制御手段に対する通電を停止させる画像処理装置における情報伝達方法であって、上記第２制御手段が、省電力モード時において、上記外部機器から、上記設定情報の更新要求を受け付ける更新要求受付ステップと、上記第２制御手段が、上記更新要求を、通常モードに移行するまで保持し、通常モードに移行した後、第１制御手段に出力する更新要求出力ステップとを含むことを特徴とする。
【００１１】
上記の構成によれば、第２制御手段は、省電力モード時において、設定情報の更新要求を受け付けたとしても、通常モードに移行するまで当該更新要求を保持し、通常モードに移行した後、第１制御手段に出力する。なお、更新要求には、新たな設定情報が含まれている。
【００１２】
このように、従来であれば、省電力モード時において、外部機器から更新要求を受け付けた場合、メイン基板（第１制御手段）を即座に復帰していたが、本発明では、復帰させる必要がない。そのため、省電力モードを維持することができ、省電力効果が一層向上する。
【００１３】
また、省電力モード時に受け付けた更新要求が、通常モードに移行した後、第１制御手段に出力されるため、第１制御手段は、当該更新要求に応じて、設定情報を更新することができる。
【００１４】
さらに、本発明の画像処理装置は、上記の構成に加えて、上記第１制御手段は、通常モード時において、上記設定情報の更新を促すための第１画面を示す第１画面データを、上記第２制御手段を介して、上記外部機器に送信する第１送信手段と、省電力モードに移行するときに、上記第１画面データを第２制御手段に送るデータ転送手段とを備え、上記第２制御手段は、上記データ転送手段から送られた上記第１画面データを記憶する記憶部と、省電力モード時において、上記記憶部が記憶する第１画面データを、上記外部機器に送信する第２送信手段とを備える。
【００１５】
上記の構成によれば、第２制御手段は、上記データ転送手段から送られた上記第１画面データを記憶する記憶部を備える。そして、第２制御手段の第２送信手段は、省電力モード時において、上記記憶部が記憶する第１画面データを、上記外部機器に送信する。
【００１６】
そのため、省電力モード時であっても、第１制御手段を起動することなく、設定情報の更新を促すための第１画面を上記外部機器で表示させることができる。
【００１７】
また、第２制御手段は、上記設定情報の更新を促すための画面を示す画面データを生成する必要がない。その結果、第２制御手段の処理を軽減することができる。
【００１８】
また、本発明の画像処理装置は、上記の構成に加えて、上記第１制御手段は、通常モード時において、上記設定情報の更新を促すための第１画面を示す第１画面データを、上記第２制御手段を介して、上記外部機器に送信する第１送信手段と、省電力モードに移行するときに、上記第１画面とは異なる、上記設定情報の更新を促すための第２画面を示す第２画面データを第２制御手段に送るデータ転送手段とを備え、上記第２制御手段は、上記データ転送手段から送られた上記第２画面データを記憶する記憶部と、省電力モード時において、上記記憶部が記憶する第２画面データを、上記外部機器に送信する第２送信手段とを備えていてもよい。
【００１９】
上記の構成であっても、省電力モード時において、第１制御手段を起動することなく、設定情報の更新を促すための第２画面を上記外部機器で表示させることができる。
【００２０】
また、第２制御手段は、上記設定情報の更新を促すための画面を示す画面データを生成する必要がない。その結果、第２制御手段の処理を軽減することができる。
【００２１】
なお、上記第２画面データは、上記第１画面データよりもデータ容量が小さいことが好ましい。または、上記第２画面に含まれる上記設定項目は、上記第１画面に含まれる上記設定項目の一部であることが好ましい。これにより、第２制御手段の処理を一層軽減することができる。
【００２２】
さらに、本発明の画像処理装置は、上記の構成に加えて、上記第２制御手段は、上記更新要求受付手段が受け付けた更新用の設定情報に基づいた所定の処理を行う処理手段を備えることが好ましい。
【００２３】
上記所定の処理とは、例えば、上記設定情報がネットワーク設定に関する情報である場合、第２制御手段における通信確立の処理などである。
【００２４】
これにより、単に更新要求を保持するだけでなく、通常モードへの移行を待つことなく、先行して上記所定の処理を開始することができる。
【００２５】
さらに、本発明の画像処理装置は、上記の構成に加えて、上記第２制御手段は、上記各設定項目と第１制御手段を通常モードに復帰させるか否かを示す復帰要否情報とを対応付けた対応付け情報を参照して、上記更新要求受付手段が受け付けた更新用の設定情報の設定項目に対応する上記復帰要否情報を特定し、特定した復帰要否情報に基づいて、上記第１制御手段に通電を開始させる復帰手段を備えることが好ましい。
【００２６】
設定項目の中には、即座に更新する必要があるものも存在する。すなわち、設定情報を更新したら、その直後からの画像処理装置の動作に影響を与える設定項目は、即座に更新する必要がある。例えば、設定項目「ネットワーク設定」は、設定情報を更新することにより、その直後から通信接続に影響を与えるため、即座に更新する必要がある。
【００２７】
一方、例えば、設定項目「送信先」は、画像データの送信先を示しており、実際に画像データを送信するまでは、画像処理装置の動作に影響を与えるものではない。
【００２８】
上記の構成によれば、「ネットワーク設定」のような、設定情報を更新したら、その直後からの画像処理装置の動作に影響を与える設定項目と、復帰要否情報「要」とを対応付ける対応付け情報により、第２制御手段が該設定項目の更新要求を受け付けた場合、通常モードに復帰され、即座に設定情報が更新される。その結果、その後の処理を円滑に進めることができる。
【００２９】
一方、「送信先」のような、設定情報を更新しても、その直後からの画像処理装置の動作に影響を与えない設定項目と、復帰要否情報「否」とを対応付ける対応付け情報により、第２制御手段が該設定項目の更新要求を受け付けた場合、省電力モードが維持される。その結果、省電力効果を向上させることができる。
【００３０】
なお、上記情報処理装置は、コンピュータによって実現してもよく、この場合には、コンピュータを上記各手段として動作させることにより情報処理装置をコンピュータにて実現させるプログラム、およびそれを記録したコンピュータ読み取り可能な記録媒体も、本発明の範疇に入る。
【発明の効果】
【００３１】
以上のように、本発明に係る画像処理装置は、省電力モード時において、設定情報の更新要求を第２制御手段が受け付けたとしても、通常モードに移行するまで当該更新要求を第２制御手段が保持し、通常モードに移行した後、第２制御手段が当該更新要求を第１制御手段に出力する。それゆえ、従来であれば、省電力モード時において、外部機器から更新要求を受け付けた場合、第１制御手段を即座に復帰していたが、本発明では、復帰させる必要がない。そのため、省電力モードを維持することができ、省電力効果が一層向上する。また、省電力モード時に受け付けた更新要求が、通常モードに移行した後、第１制御手段に出力されるため、第１制御手段は、当該更新要求に応じて、設定情報を更新することができる。
【発明を実施するための最良の形態】
【００３２】
本発明の一実施形態に係る画像処理装置について図１〜図１６に基づいて説明すれば以下のとおりである。なお、本実施形態に係る画像処理装置は、複写機やプリンタなどである。
【００３３】
図２は、本実施形態に係る画像処理装置１の概略構成を示す図である。図２に示されるように、画像処理装置１は、通信ネットワーク（例えば、イーサネット（登録商標））を介して、例えばパーソナルコンピュータなどの外部機器２と接続されている。画像処理装置１は、外部機器２から、印刷ジョブ要求やステータス情報および設定情報の閲覧／更新用画面の送信要求などを受信し、受信した要求に応じた処理を行う。
【００３４】
画像処理装置１は、図示しないエンジン部に対する制御処理や、画像処理など装置全体の制御を行うメイン基板（第１制御手段）１１と、外部機器２との入出力インターフェースを担うサブ基板（第２制御手段）１２とを備えている。
【００３５】
メイン基板１１は、プログラムに従った処理を実行するＣＰＵ１１ａと、定型の処理を実行するＡＳＩＣ（Application Specific Integrated Circuit）１１ｂと、プログラムやデータを格納記憶する主メモリ１１ｃならびにフラッシュメモリ１１ｄとで構成されている。サブ基板１２も同様に、ＣＰＵ１２ａと、ＡＳＩＣ１２ｂと、主メモリ１２ｃならびにフラッシュメモリ１２ｄとで構成されている。
【００３６】
なお、メイン基板１１側のＡＳＩＣと、サブ基板１２側のＡＳＩＣとは、バスで接続されており、互いにデータの送受信を行うことができる。また、サブ基板１２側のＡＳＩＣは、例えば、イーサネット（登録商標）を用いて、外部機器２と通信可能である。
【００３７】
本実施形態の画像処理装置１は、メイン基板１１およびサブ基板１２に対して通電する通常モードと、消費電力を低減するために、メイン基板１１に対する通電を遮断し、サブ基板１２のみに通電する省電力モードとを切り替えることで、省電力化を図っている。
【００３８】
（メイン基板の機能構成）
図１は、メイン基板１１およびサブ基板１２の構成を示す機能ブロック図である。図１に示されるように、メイン基板１１は、電力制御部２１、ステータス情報抽出部２２、設定情報格納部２３、設定情報更新部２４、メイン制御部２５、およびＵＩデータ生成部２６を備える。
【００３９】
電力制御部２１は、メイン基板１１に対する通電を制御するものであり、所定時間、何ら操作を受け付けない場合、メイン基板１１に対する通電を遮断させ、通常モードから省電力モードに移行させる。また、電力制御部２１は、復帰要求（後述する）によって、メイン基板１１に対して通電を開始し、省電力モードから通常モードに復帰させる。なお、電力制御部２１は、省電力モード時においても、上記復帰要求を待ち受け可能な程度に電力供給を受ける。なお、本実施形態の電力制御部２１は、この復帰要求をサブ基板から受けることを特徴とする。ただし、電力制御部２１は、他のブロック（例えば、図示しないタッチパネルなどの入力部）から復帰要求を受け付けてもよい。この場合、入力部は、何らかの入力を検知したとき、上記復帰要求を電力制御部２１に出力する。
【００４０】
ステータス情報抽出部２２は、画像処理装置１に関する現在の状況を示すステータス情報を抽出するものである。具体的には、ステータス情報抽出部２２は、ステータス情報として、各給紙トレイにセットされている用紙サイズおよび各給紙トレイの用紙の有無を示す給紙トレイ情報、各排紙トレイにおける排紙の可否を示す排紙トレイ情報、トナーの残量や、トナーカートリッジならびにドラムカートリッジの交換の必要性の有無を示す備品情報を、画像処理装置１に設置された各種センサから取得する。
【００４１】
設定情報格納部２３は、画像処理装置１における各設定項目の設定情報を記憶するものである。当該設定情報としては、例えば、画像処理装置１の設置場所や製品名などのシステム情報、スキャンした画像データの送信先情報、通信ネットワークの確立のためのネットワーク設定情報、管理者により設定更新可能な管理者情報などがある。
【００４２】
設定情報更新部２４は、設定情報格納部２３に格納されている上記設定情報を更新するものである。設定情報更新部２４は、通常モードにおいて、外部機器２から取得した更新要求に応じて、上記設定情報を更新する。また、設定情報更新部２４は、省電力モードから通常モードに復帰した際に、サブ基板１２から出力された更新情報（後述する）に応じて、設定情報格納部２３に格納されている上記設定情報を更新する。
【００４３】
メイン制御部２５は、図示しないエンジン部に対する画像出力処理や、スキャナ部を備える場合におけるスキャン処理、通信処理、画像処理などの各種の処理を制御するものである。メイン制御部２５は、設定情報格納部２３に格納されている設定情報を適宜読み出し、該設定情報に従って処理を行う。
【００４４】
例えば、メイン制御部２５は、設定情報格納部２３が記憶するネットワーク設定情報に従って、通信確立の処理を行う。
【００４５】
また、メイン制御部２５は、設定情報格納部２３が記憶する送信先情報に従って、画像データを送信する。
【００４６】
ＵＩデータ生成部２６は、ステータス情報抽出部２２が抽出したステータス情報および設定情報格納部２３が記憶する各設定情報の各々の情報を閲覧／更新するためのＵＩ（ユーザインターフェース）画面のデータ（ＵＩデータ）を生成するものである。
【００４７】
ＵＩデータ生成部は、通常モード時のＵＩ画面（通常モード用ＵＩ画面）を示すＵＩデータ（通常モード用ＵＩデータ）を生成する通常モード用ＵＩデータ生成部（第１送信手段）２６ａと、省電力モード時のＵＩ画面（省電力モード用ＵＩ画面）を示すＵＩデータ（省電力モード用ＵＩデータ）を生成する省電力モード用ＵＩデータ生成部（データ転送手段）２６ｂと、管理テーブル記憶部２６ｃと、を含む。
【００４８】
通常モード用ＵＩデータ生成部２６ａは、通常モード時において、ステータス情報および設定情報の閲覧／更新用画面の送信要求を外部装置から受けたとき、その応答として、通常モード用ＵＩデータを生成し、生成した通常モード用ＵＩデータを外部機器２に送信する。
【００４９】
図３から８は、通常モード用ＵＩ画面の一例を示す図である。図３は、閲覧／更新用画面の送信要求を外部装置から受けたときに、通常モード用ＵＩデータ生成部２６ａが最初に生成する通常モード用ＵＩデータにより示される通常モード用ＵＩ画面（第１ＵＩ画面）の一例であり、画像処理装置１のシステム情報を含む。なお、図３にしめされるように、第１ＵＩ画面の左側に、各種の情報の閲覧を選択するための領域があり、閲覧する情報を選択するための領域があり、ユーザは、この中から所望の情報を選択する。そして、通常モード用ＵＩデータ生成部２６ａは、ユーザ選択に応じて、図４に示されるような、画像処理装置１のステータス情報を含む通常モード用ＵＩ画面、図５および６に示されるような、現在の送信先情報を含むとともに、該送信先情報の変更を促す通常モード用ＵＩ画面、図７に示されるような、現在のネットワーク設定情報を含み、該ネットワーク設定情報の変更を促す通常モード用ＵＩ画面、図８に示されるような、管理者情報の変更を促す通常モード用ＵＩ画面のいずれかを示す通常モード用ＵＩデータを生成する。
【００５０】
管理テーブル記憶部２６ｃは、ＵＩ画面に表示する情報（ステータス情報および各種の設定情報）の各々について、当該情報を識別する識別情報（例えば、項目名）と、省電力モード用ＵＩ画面における閲覧の可否を示す閲覧可否情報と、設定情報の更新の可否を示す更新可否情報と、更新時に通常モードへの復帰の要否を示す復帰要否情報とが予め対応付けられた管理テーブルを記憶する。
【００５１】
図９は、管理テーブル記憶部２６ｃが記憶する管理テーブルの一例を示す図である。図９では、識別情報「デバイスのステータス」について、閲覧可否情報「可（図中では○と記載）」、更新可否情報「不可（図中では×と記載）」を記憶し、識別情報「送信先設定」について、閲覧可否情報「可」、更新可否情報「可（図中では○と記載）」、「復帰要否情報「否（図中では×と記載）」を記憶し、識別情報「ネットワーク設定」について、閲覧可否情報「可」、更新可否情報「可」、復帰要否情報「要（図中では○と記載）」を記憶し、識別情報「管理者設定」について、閲覧可否情報「不可（図中では×と記載）」を記憶している。
【００５２】
省電力モード用ＵＩデータ生成部２６ｂは、管理テーブルを参照して、閲覧可否情報が「可」の識別情報に対応する情報を含むとともに、更新可否情報が「可」である識別情報の設定情報について、新たな情報の入力を促す更新情報入力欄を含む省電力モード用ＵＩ画面を示す省電力モード用ＵＩデータを生成する。省電力モード用ＵＩデータ生成部２６ｂは、電力制御部２１から省電力モード移行通知を受けたときに、省電力モード用ＵＩデータを生成する。
【００５３】
図１０から１２は、省電力モード用ＵＩ画面の一例を示す図である。図１０は、メニュー画面であり、図１１は、図１０のメニュー画面において「送信先」が選択されたときに表示される、送信先情報の閲覧／更新のためのＵＩ画面である。また、図１２は、各種の情報の全表示する場合のＵＩ画面の一例である。省電力モード用ＵＩデータ生成部２６ｂは、図１０及び図１１の組み合わせからなる省電力モード用ＵＩ画面か、もしくは、図１２に示されるような省電力モード用ＵＩ画面を示す省電力モード用ＵＩデータを生成する。
【００５４】
なお、図１０から１２に示されるように、省電力モード用ＵＩ画面は、テキストで構成されており、図３から８で示したような通常モード用ＵＩ画面に比べて簡略である。さらに、設定情報を表示する設定項目も通常モード用ＵＩ画面に比べて少なくしている。例えば、省電力モード用ＵＩ画面は、設定項目「管理者設定」の設定情報を含んでいない。これにより、省電力モード用ＵＩ画面は、通常モード用ＵＩ画面に比べてデータ容量が小さい。そのため、省電力モード用ＵＩデータに対する処理は、通常モード用ＵＩデータに対する処理に比べて、簡単となる。
【００５５】
また、省電力モード用ＵＩデータ生成部２６ｂは、管理テーブルにおいて更新可否情報が「可」である識別情報と、当該識別情報に対応する復帰要否情報と、当該識別情報で識別される設定項目について現在設定されている設定情報（現設定情報）とを対応付けた解析用テーブルを生成する。
【００５６】
図１３は、解析用テーブルの一例を示す図である。図１３に示されるように、識別情報「送信先」と、復帰要否情報「否」と、現設定情報「ＸＸＸ／ファイルサーバ・・・」とが対応付けられ、識別情報「ネットワーク設定」と、復帰要否情報「要」と、現設定情報「ＩＰアドレス：ｘｘｘ．・・・」とが対応付けられている。
【００５７】
そして、省電力モード用ＵＩデータ生成部２６ｂは、生成した省電力モード用ＵＩデータと、解析用テーブルとを、サブ基板１２に出力する。
【００５８】
（サブ基板の構成）
次に、サブ基板１２の構成について説明する。図１に示されるように、サブ基板１２は、ＵＩデータ表示切替部３１と、ＵＩデータ格納部（記憶部）３２と、ＵＩ処理部（更新要求受付手段、第２送信手段）３３と、解析部（処理手段）３４と、更新情報通知部（更新要求出力手段）３５、復帰処理部（復帰手段）３６とを備える。
【００５９】
ＵＩデータ表示切替部３１は、ＵＩ処理部３３からの省電力モード移行通知および復帰処理部３６からの復帰通知に従って、外部装置とデータのやり取りを行うブロックを、通常モード時にはメイン基板１１とし、省電力モード時にはサブ基板１２側のＵＩ処理部３３とするものである。
【００６０】
ＵＩデータ格納部３２は、省電力モードへ移行する前に、メイン基板１１の省電力モード用ＵＩデータ生成部２６ｂから出力された、上記省電力モード用ＵＩデータおよび解析用テーブルを記憶するものである。
【００６１】
ＵＩ処理部３３は、省電力モード時において、ＵＩに関する処理を行うものである。
具体的には、ＵＩ処理部３３は、省電力モードへ移行する前に、省電力モード用ＵＩデータ生成部２６ｂから上記省電力モード用ＵＩデータおよび解析用テーブルを取得し、ＵＩデータ格納部３２に格納する。
【００６２】
また、ＵＩ処理部３３は、外部装置から、ステータス情報／設定情報の閲覧／更新用画面の送信要求を受けたとき、ＵＩデータ格納部３２から省電力モード用ＵＩデータを読み出し、外部装置に返信する。
【００６３】
さらに、ＵＩ処理部３３は、外部装置から、設定情報の更新要求を受けると、当該更新要求を解析部３４に出力する。なお、当該更新要求には、設定情報を更新する設定項目を識別する上記識別情報と、新たに入力された設定情報（新規設定情報）とが対応付けられた更新情報が含まれている。
【００６４】
さらに、ＵＩ処理部３３は、外部装置から、復帰ボタン押下情報を受けると、当該復帰ボタン押下情報を復帰処理部３６に転送する。なお、復帰ボタン押下情報は、省電力モード用ＵＩ画面において省エネ復帰ボタン５２（図１０または図１２参照）がクリックされた場合に、外部装置が生成し、送信するものである。
【００６５】
解析部３４は、更新要求に含まれる更新情報と解析用テーブルとを比較し、新規設定情報と現設定情報とが一致しない識別情報を特定し、当該識別情報に対応する更新情報を更新情報通知部３５に出力する。さらに、解析部３４は、新規設定情報と現設定情報とが一致しない識別情報に対応する復帰要否情報を、解析用テーブルから読み出し、復帰処理部３６に出力する。
【００６６】
更新情報通知部３５は、解析部３４から受けた更新情報を一時的に保持し、メイン基板１１が起動したときに、当該更新情報をメイン基板１１に出力する。
【００６７】
復帰処理部３６は、解析部３４から受けた復帰要否情報が「要」である場合、もしくは、ＵＩ処理部３３から復帰ボタン押下情報を受けた場合、メイン基板１１の電力制御部２１を制御して、メイン基板１１に対して通電を開始させるとともに、ＵＩデータ表示切替部３１に対して復帰通知を出力する。
【００６８】
（メイン基板における、省電力モードへの移行処理について）
次に、省電力モードへ移行するときのメイン基板１１における処理の流れについて、図１４に示すフローチャートを参照しながら説明する。
【００６９】
まず、電力制御部２１は、省電力モードへ移行するか否かを判断する（Ｓ１）。具体的には、電力制御部２１は、画像処理装置１に対する操作入力が所定時間入力されない場合に、省電力モードへ移行すると判断する。
【００７０】
電力制御部２１は、省電力モードへ移行しない場合（Ｓ１でＮｏ）、メイン基板１１に対する通電を維持し（すなわち、通常モードを維持し）、再度Ｓ１の処理を行う。
【００７１】
一方、省電力モードへ移行する場合（Ｓ１でＹｅｓ）、電力制御部２１は、省電力モード用ＵＩデータ生成部２６ｂに対して、生成指示を出力する。そして、省電力モード用ＵＩデータ生成部２６ｂは、図１０から１２で示されるような省電力モード用ＵＩ画面に対応する省電力モード用ＵＩデータを生成する。また、省電力モード用ＵＩデータ生成部２６ｂは、管理テーブル記憶部２６ｃが管理する管理テーブルと、設定情報格納部２３が記憶する設定情報とに基づいて、図１３に示されるような解析用テーブルを生成する（Ｓ２）。
【００７２】
その後、省電力モード用ＵＩデータ生成部２６ｂは、サブ基板１２のＵＩ処理部３３に、生成した省電力モード用ＵＩデータと、解析用テーブルとを送信する（Ｓ３、Ｓ４）。
【００７３】
次に、電力制御部２１は、サブ基板１２のＵＩデータ表示切替部３１に対して、省電力モード移行通知を送信し、メイン基板１１に対する通電を遮断する（Ｓ５）。これにより、メイン基板１１に対して通電されない省電力モードへと移行する。
【００７４】
（サブ基板の処理について）
次に、サブ基板１２の処理の流れについて、図１５に示すフローチャートを参照しながら説明する。
【００７５】
まず、サブ基板１２のＵＩ処理部３３は、メイン基板１１の省電力モード用ＵＩデータ生成部２６ｂから、省電力モード用ＵＩデータと解析用テーブルとを受信しているか否かを判断する（Ｓ１１）。
【００７６】
ここで、省電力モード用ＵＩデータと解析用テーブルとを受信していない場合（Ｓ１１でＮｏ）とは、つまり、通常モードである。
【００７７】
Ｓ１１でＮｏの場合、つまり、通常モードの場合、ＵＩデータ表示切替部３１は、外部機器２から、ステータス情報および設定情報の閲覧／更新用画面の送信要求を受信したか否かを判断する（Ｓ１２）。
【００７８】
閲覧／更新用画面の送信要求を受信していない場合（Ｓ１２でＮｏ）、ＵＩデータ表示切替部３１は、該閲覧／更新用画面の送信要求を待ち受けるため、再度Ｓ１２の処理を行う。
【００７９】
一方、閲覧／更新用画面の送信要求を受信した場合（Ｓ１２でＹｅｓ）、ＵＩデータ表示切替部３１は、通常モードであるため、当該閲覧／更新用画面の送信要求を、メイン基板１１の通常モード用ＵＩデータ生成部２６ａに出力する。そして、通常モード用ＵＩデータ生成部２６ａは、該閲覧／更新用画面の送信要求に応じた通常モード用ＵＩデータを生成し、ＵＩデータ表示切替部３１に出力する。ＵＩデータ表示切替部３１は、通常モード用ＵＩデータ生成部２６ａから受けた通常モード用ＵＩデータを外部機器２に出力する（Ｓ１３）。これにより、外部機器２では、図３から８に示されるような、通常モード用ＵＩ画面が表示されることとなる。
【００８０】
その後、ＵＩデータ表示切替部３１は、外部機器２から、設定情報の更新要求を受信したか否かを判断する（Ｓ１４）。該更新要求とは、更新要求ボタン（図５から８に示される登録ボタン５３、変更ボタン５４、削除ボタン５５）がクリックされた際に外部機器２が生成し、送信するものである。
【００８１】
更新要求を受信していない場合（Ｓ１４でＮｏ）、ＵＩデータ表示切替部３１は、該更新要求を受信するまでＳ１４の処理を繰り返す。
【００８２】
更新要求を受信した場合（Ｓ１４でＮｏ）、ＵＩデータ表示切替部３１は、該更新要求をメイン基板１１の設定情報更新部２４に送信する（Ｓ１５）。これにより、設定情報更新部２４は、更新要求に従って、設定情報格納部２３に格納されている設定情報を更新することができる。その後、Ｓ１１の処理に戻る。
【００８３】
このように、通常モード用ＵＩデータは、図１で（１）で示した点線のようにＵＩデータ表示切替部３１を介して、メイン基板１１と外部機器２との間で送受信される。なお、上述したように、通常モード用ＵＩデータはＨＴＭＬ形式である。そのため、通常モードにおける、メイン基板１１側の通常モード用ＵＩデータ生成部２６ａおよび設定情報更新部２４と外部機器２とのＵＩデータ表示切替部３１を介した通信は、通常モード用ＵＩデータをＷｅｂページとした、通常のインタネット通信で実現される。
【００８４】
一方、Ｓ１１において、省電力モード用ＵＩデータと解析用テーブルとを受信している場合、サブ基板１２のＵＩ処理部３３は、該省電力モード用ＵＩデータと解析用テーブルとを、ＵＩデータ格納部３２に格納する（Ｓ１６）。
【００８５】
なお、この場合は、省電力モードに移行していることを意味し、メイン基板１１の電力制御部２１は、省電力モード移行通知をＵＩデータ表示切替部３１に出力している。
【００８６】
次に、ＵＩデータ表示切替部３１は、外部機器２から、ステータス情報および設定情報の閲覧／更新用画面の送信要求を受信したか否かを判断する（Ｓ１７）。
【００８７】
閲覧／更新用画面の送信要求を受信していない場合（Ｓ１７でＮｏ）、ＵＩデータ表示切替部３１は、該閲覧／更新用画面の送信要求を待ち受けるため、再度Ｓ１７の処理を行う。
【００８８】
一方、閲覧／更新用画面の送信要求を受信した場合（Ｓ１７でＹｅｓ）、ＵＩデータ表示切替部３１は、省電力モード移行通知を受けているため、当該閲覧／更新用画面の送信要求を、ＵＩ処理部３３に出力する。そして、ＵＩ処理部３３は、該閲覧／更新用画面の送信要求に応じた省電力モード用ＵＩデータを、ＵＩデータ格納部３２から読み出し、ＵＩデータ表示切替部３１を介して、外部機器２に送信する（Ｓ１８）。これにより、外部機器２では、図１０から図１２に示されるような、省電力モード用ＵＩ画面が表示されることとなる。
【００８９】
その後、ＵＩ処理部３３は、ＵＩデータ表示切替部３１を介して、外部機器２から、復帰ボタン押下情報を受信したか否かを判断する（Ｓ１９）。当該復帰ボタン押下情報とは、図１０または図１２に示す省電力モード用ＵＩ画面において、省エネ復帰ボタン５２がクリックされた際に、外部機器２が生成し、送信するものである。
【００９０】
復帰ボタン押下情報を受信しない場合（Ｓ１９でＮｏ）、ＵＩ処理部３３は、ＵＩデータ表示切替部３１を介して、外部機器２から、設定情報の更新要求を受信したか否かを判断する（Ｓ２０）。該更新要求とは、図１１または図１２に示される更新ボタン５１がクリックされた際に外部機器２が生成し、送信するものである。上述したように、該更新要求は、設定情報を更新する設定項目を識別する上記識別情報と、新たに入力された設定情報（新規設定情報）とが対応付けられた更新情報を含む。
【００９１】
更新要求を受信していない場合（Ｓ２０でＮｏ）、ＵＩ処理部３３は、該更新要求を受信するまでＳ２０の処理を繰り返す。
【００９２】
更新要求を受信した場合（Ｓ２０でＮｏ）、ＵＩ処理部３３は、該更新要求を解析部３４に出力する。そして、解析部３４は、該更新要求に含まれる更新情報と解析用テーブルとを比較する。解析部３４は、新規設定情報と現設定情報とが一致しない識別情報を特定し、当該識別情報に対応する更新情報を更新情報通知部３５に出力する（Ｓ２１）。
【００９３】
そして、更新情報通知部３５は、該更新情報を一時的に保持する（Ｓ２２）。
【００９４】
さらに、解析部３４は、新規設定情報と現設定情報とが一致しない識別情報に対応する復帰要否情報を、解析用テーブルから読み出し、復帰処理部３６に出力する。そして、復帰処理部３６は、解析部３４から受けた復帰要求情報が「要」であるか否かを判断する（Ｓ２３）。
【００９５】
復帰要求情報が「否」である場合（Ｓ２３でＮｏ）、Ｓ１９の処理に戻る。
一方、復帰要求情報が「要」である場合（Ｓ２３でＹｅｓ）、および、省エネ復帰ボタン押下情報を受けた場合（Ｓ１９でＹｅｓ）、復帰処理部３６は、メイン基板１１の電力制御部２１に復帰要求を送信する（Ｓ２４）。これにより、電力制御部２１は、メイン基板１１に対して通電を開始し、通常モードへと移行する。なお、復帰処理部３６は、電力制御部２１に復帰要求を送信すると同時に、ＵＩデータ表示切替部３１に対して復帰通知を出力する。これにより、ＵＩデータ表示切替部３１は、外部機器２からの閲覧／更新用画面の送信要求を、メイン基板１１に転送することとなる。
【００９６】
そして、メイン基板１１が起動すると、更新情報通知部３５は、更新情報を保持しているか否かを判断する（Ｓ２５）。更新情報を保持していない場合（Ｓ２５でＮｏ）、Ｓ１１の処理に戻る。一方、更新情報を保持している場合（Ｓ２５でＹｅｓ）、更新情報通知部３５は、当該更新情報を、メイン基板１１の設定情報更新部２４に伝送する（Ｓ２６）。これにより、メイン基板１１の設定情報更新部２４は、更新情報に基づいて、設定情報格納部２３に格納されている設定情報を更新できる。なお、Ｓ２６の処理後、Ｓ１１に戻る。
【００９７】
このように、省電力モード用ＵＩデータは、省電力モードへの移行前に、メイン基板１１からサブ基板１２に転送される。そして、省電力モード用ＵＩデータは、図１で（２）で示した点線のように、サブ基板１２と外部機器２との間で送受信される。なお、上述したように、省電力モード用ＵＩデータはＨＴＭＬ形式である。そのため、省電力モードにおける、サブ基板１２と外部機器２との通信は、省電力モード用ＵＩデータをＷｅｂページとした、通常のインタネット通信で実現される。また、外部機器２は、汎用のブラウザソフトを用いて、ＵＩ画面を表示させることができる。
【００９８】
（メイン基板における、通常モードへの復帰処理について）
次に、メイン基板１１における、通常モードへの復帰処理の流れについて、図１６に示すフローチャートを参照しながら説明する。
【００９９】
まず、省電力モード時において、電力制御部２１は、サブ基板１２から、通常モードへの復帰要求を受信したか否かを判断する（Ｓ３１）。
【０１００】
復帰要求を受信した場合（Ｓ３１でＹｅｓ）、電力制御部２１は、メイン基板１１への通電を開始させる（Ｓ３２）。
【０１０１】
その後、設定情報更新部２４は、サブ基板１２の更新情報通知部３５から更新情報を受信したか否かを判断する（Ｓ３３）。更新情報を受信した場合（Ｓ３３でＹｅｓ）、設定情報更新部２４は、該更新情報に基づいて、設定情報格納部２３に格納されている設定情報を更新する（Ｓ３４）。そして、通常モードへの移行処理を終了する。一方、更新情報を受信しない場合（Ｓ３３でＮｏ）にも、通常モードへの移行処理を終了する。
【０１０２】
（変形例）
上記説明では、省電力モード用ＵＩ画面を、通常モード用ＵＩ画面よりも簡略化したものとした。これにより、省電力モード用ＵＩデータは、通常モード用ＵＩデータよりも、データ容量が小さくなる。その結果、サブ基板１２での省電力モード用ＵＩデータに対する処理に要する時間や消費電力が小さくなる。
【０１０３】
しかしながら、これに限らず、サブ基板１２の処理能力が高い場合には、省電力モード用ＵＩデータ生成部２６ｂは、通常モード用ＵＩデータ生成部２６ａと同様に、図３から８に示す通常モード用ＵＩ画面を示す通常モード用ＵＩデータを、上記省電力モード用ＵＩデータとして生成してもよい。
【０１０４】
この場合、省電力モード用ＵＩデータ生成部２６ｂは、サブ基板１２の種類ごとに、通常モード用ＵＩデータおよび省電力モード用ＵＩデータのいずれを生成するのか示すＵＩデータ切替情報を予め記憶している。そして、省電力モード用ＵＩデータ生成部２６ｂは、画像処理装置１に組み込まれたサブ基板１２に対応するＵＩデータを、上記ＵＩデータ切替情報から特定し、特定したＵＩデータを生成すればよい。
【０１０５】
また、上記の説明では、メイン基板１１が省電力モード用ＵＩデータを生成し、サブ基板１２に送信するものとした。これにより、サブ基板１２では、省電力モード用ＵＩデータを生成する必要がなく、処理の手間が省ける。
【０１０６】
しかしながら、サブ基板１２の処理能力が高い場合、サブ基板１２が省電力モード用ＵＩデータを生成する省電力モード用ＵＩデータ部をそなえていてもよい。この場合、メイン基板１１は、ステータス情報、各設定項目の設定情報と管理テーブルとをサブ基板１２に送信する。
【０１０７】
また、上記解析部３４は、更新情報に含まれる新規設定情報が、サブ基板１２で処理可能な設定項目のものである場合、新規設定情報に基づいた処理を行ってもよい。例えば、新規設定情報が、サブ基板１２におけるネットワーク設定である場合、解析部３４は、新規設定情報に基づいて、ネットワーク設定処理（通信確立処理）を行ってもよい。
【０１０８】
以上のように、本実施形態に係る画像処理装置１は、各種の設定項目の設定情報を管理するメイン基板１１と、通信ネットワークを介して、外部機器２と通信可能なサブ基板１２とを備え、通常モード時に、サブ基板１２とメイン基板１１との両方に通電させ、省電力モード時に、サブ基板１２に通電させるが、メイン基板１１に対する通電を停止させる画像処理装置１である。そして、上記サブ基板１２は、省電力モード時において、上記外部機器２から、上記設定情報の更新要求を受け付けるＵＩ処理部（更新要求受付手段）３３と、上記ＵＩ処理部３３が受け付けた更新要求を、通常モードに移行するまで保持し、通常モードに移行した後、メイン基板１１に通知する更新情報通知部（更新要求出力手段）３５とを備える。
【０１０９】
上記更新要求には、設定情報を更新する設定項目を識別する上記識別情報と、新たに入力された設定情報（新規設定情報）とが対応付けられた更新情報が含まれている。
【０１１０】
このように、従来であれば、省電力モード時において、外部機器２から更新要求を受け付けた場合、メイン基板１１を即座に復帰していたが、本発明では、復帰させる必要がない。そのため、省電力モードを維持することができ、省電力効果が一層向上する。
【０１１１】
また、省電力モード時に受け付けた更新要求が、通常モードに移行した後、メイン基板１１に通知されるため、メイン基板１１は、当該更新要求に応じて、設定情報を更新することができる。
【０１１２】
さらに、メイン基板１１は、通常モード時において、上記設定情報の更新を促すための通常モード用画面を示す通常モード用画面データを、上記サブ基板１２を介して、上記外部機器２に送信する通常モード用ＵＩデータ生成部（第１送信手段）２６ａと、省電力モードに移行するときに、上記通常モード用画面データをサブ基板１２に送る省電力モード用画面データ生成部（データ転送手段）とを備え、サブ基板１２は、省電力モード用画面データ生成部から送られた通常モード用画面データを記憶するＵＩデータ格納部（記憶部）３２と、省電力モード時において、ＵＩデータ格納が記憶する通常モード用画面データを、上記外部機器２に送信するＵＩ処理部（第２送信手段）３３とを備えていてもよい。
【０１１３】
これにより、省電力モード時であっても、メイン基板１１を起動することなく、設定情報の更新を促すための通常モード用画面を上記外部機器２で表示させることができる。
【０１１４】
また、サブ基板１２は、上記設定情報の更新を促すための画面を示す画面データを生成する必要がない。その結果、サブ基板１２の処理を軽減することができる。
【０１１５】
もしくは、メイン基板１１は、通常モード時において、上記設定情報の更新を促すための通常モード用画面を示す通常モード用画面データを、上記サブ基板１２を介して、上記外部機器２に送信する通常モード用ＵＩデータ生成部（第１送信手段）２６ａと、省電力モードに移行するときに、上記通常モード用画面とは異なる、上記設定情報の更新を促すための省電力モード用画面を示す省電力モード用画面データをサブ基板１２に送る省電力モード用画面データ生成部（データ転送手段）とを備え、上記サブ基板１２は、省電力モード用画面データ生成部から送られた省電力モード用画面データを記憶するＵＩデータ格納部３２（記憶部）と、省電力モード時において、ＵＩデータ格納部３２が記憶する省電力モード用画面データを、上記外部機器２に送信するＵＩ処理部（第２送信手段）３３とを備えていてもよい。
【０１１６】
上記の構成であっても、省電力モード時において、メイン基板１１を起動することなく、設定情報の更新を促すための省電力モード用画面を上記外部機器２で表示させることができる。
【０１１７】
また、サブ基板１２は、上記設定情報の更新を促すための画面を示す画面データを生成する必要がない。その結果、サブ基板１２の処理を軽減することができる。
【０１１８】
なお、上記省電力モード用画面データは、上記通常モード用画面データよりもデータ容量が小さいことが好ましい。または、上記省電力モード用画面に含まれる上記設定項目は、上記通常モード用画面に含まれる上記設定項目の一部であることが好ましい。これにより、サブ基板１２の処理を一層軽減することができる。
【０１１９】
さらに、サブ基板１２は、ＵＩ処理部３３が受け付けた更新要求により示される新たな設定情報に基づいて、所定の処理を行う解析部（処理手段）３４を備えることが好ましい。
【０１２０】
上記所定の処理とは、上述したように、例えば、上記設定情報がネットワーク設定に関する情報である場合、サブ基板１２における通信確立処理などである。
【０１２１】
これにより、単に更新情報を保持するだけでなく、通常モードへの移行を待つことなく、先行して上記所定の処理を開始することができる。
【０１２２】
さらに、サブ基板１２は、上記各設定項目とメイン基板１１を通常モードに復帰させるか否かを示す復帰要否情報とを対応付けた解析用テーブル（対応付け情報）を参照して、ＵＩ処理部３３が受け付けた更新要求により示される新規設定情報の設定項目に対応する復帰要否情報を特定し、特定した復帰要否情報に基づいて、上記メイン基板１１に通電を開始させる復帰処理部（復帰手段）３６を備えることが好ましい。
【０１２３】
設定項目の中には、即座に更新する必要があるものも存在する。すなわち、設定情報を更新したら、その直後からの画像処理装置１の動作に影響を与える設定項目は、即座に更新する必要がある。例えば、設定項目「ネットワーク設定」は、設定情報を更新することにより、その直後から通信接続が可能となるため、即座に更新する必要がある。
【０１２４】
一方、例えば、設定項目「送信先」は、画像データの送信先を示しており、実際に画像データを送信するまでは、画像処理装置１の動作に影響を与えるものではない。
【０１２５】
上記の構成によれば、「ネットワーク設定」のような、設定情報を更新したら、その直後からの画像処理装置１の動作に影響を与える設定項目と、復帰要否情報「要」とを対応付ける対応付け情報により、サブ基板１２が該設定項目の更新要求を受け付けた場合、通常モードに復帰され、即座に設定情報が更新される。その結果、その後の処理を円滑に進めることができる。
【０１２６】
一方、「送信先」のような、設定情報を更新しても、その直後からの画像処理装置１の動作に影響を与えない設定項目と、復帰要否情報「否」とを対応付ける対応付け情報により、サブ基板１２が該設定項目の更新要求を受け付けた場合、省電力モードが維持される。その結果、省電力効果を向上させることができる。
【０１２７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２８】
最後に、図１に示した画像処理装置１の各ブロックは、ハードウェアロジックによって構成してもよいし、次のようにＣＰＵを用いてソフトウェアによって実現してもよい。
【０１２９】
すなわち、画像処理装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像処理装置１の制御プログラムのプログラムコード（実行形式プログラム、中間コードプログラム、ソースプログラム）をコンピュータで読み取り可能に記録した記録媒体を、上記画像処理装置１に供給し、そのコンピュータ（またはＣＰＵやＭＰＵ）が記録媒体に記録されているプログラムコードを読み出し実行することによっても、達成可能である。
【０１３０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３１】
また、画像処理装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３２】
（補足事項）
なお、本発明の画像処理装置は、以下のようにも表現できる。
すなわち、メイン基板およびサブ基板から構成され、サブ基板が有するネットワーク接続機能によって外部装置と通信可能な画像処理装置において、画像処理装置の消費電力を軽減する省エネモード時は、メイン基板に供給される電源が遮断され、サブ基板のみが通電する構成において、省エネモード時に、外部装置からネットワーク経由でメイン基板が保有する設定内容の更新要求を受け付けた時、受け付けた設定更新情報をサブ基板が一旦保持する。これにより、省エネモード中にメイン基板の設定情報更新要求を受けた場合、従来であればその都度メイン基板を起動して、設定情報更新処理を行っていたが、サブ基板がその設定更新情報を保持しておくことで、設定情報更新要求受信の度にメイン基板を復帰させずにすみ、省エネモード期間を持続させることで画像処理装置全体の消費電力の軽減が可能となる。
【０１３３】
そして、省エネモード移行時、通常動作時に使用しているメイン基板設定更新用のユーザーインタフェースをサブ基板に対して提供する。これにより、省エネモード中に、外部装置からメイン基板が保有する設定内容更新要求を受け付けた場合、サブ基板がメイン基板に代わってメイン基板設定更新用ユーザーインタフェースを外部機器に提供することで、メイン基板を省エネモードから復帰させることなく、外部機器に対してメイン基板設定内容の更新を促すことが可能となる。
【０１３４】
もしくは、省エネモード移行時、サブ基板に提供するメイン基板設定更新用のユーザーインタフェースは、通常動作時に使用するユーザーインタフェースと比較して簡易であってもよい。省エネモード時は、サブ基板がメイン基板の代わりに外部機器に対してネットワーク応答をする必要があり、省エネモード時にサブ基板が外部機器に対して提供するメイン基板設定更新用ユーザーインタフェースを簡易にすることで、省エネモード中のサブ基板での処理を軽減することが可能となる。
【０１３５】
このとき、サブ基板に提供されるメイン基板設定更新用の簡易ユーザーインタフェースは、メイン基板設定更新用のユーザーインタフェースの設定項目の一部を抽出したものが好ましい。これにより、メイン基板設定更新用の簡易ユーザーインタフェースの設定項目が、省エネモード時でも設定更新可能な項目のみで構成されていれば、ユーザーインタフェースのさらなる簡素化が図られ、サブ基板の処理を軽減することが可能となる。
【０１３６】
また、省エネモード時に、メイン基板が保有する設定内容の更新要求をサブ基板が外部装置より受け付けた時、次にメイン基板が省エネモードから復帰するタイミングで、受け付けた設定更新情報に応じてメイン基板の設定内容を更新する。
【０１３７】
これにより、省エネモード中にサブ基板が受け付けたメイン基板の設定更新情報を、次にメイン基板が省エネモードから復帰する時に更新することで、無駄にメイン基板を省エネモードから復帰させることがなくなり、省エネモード期間を継続させることで画像処理装置全体の消費電力の軽減が可能となる。
【０１３８】
また、サブ基板は、受け付けた設定更新情報を解析する、設定更新情報解析手段を有していてもよい。これにより、省エネモード中にサブ基板が受け付けたメイン基板の設定更新情報をただ単に保持するだけでなく、受け付けた設定更新情報を解析することで、サブ基板は適切な処理を行うことが可能となる。
【０１３９】
さらに、前記設定更新情報解析手段は、設定更新情報の内容に応じてメイン基板を復帰させる省エネ復帰手段を有することが好ましい。これにより、設定更新情報の内容を解析した結果、メイン基板の復帰が必要である場合、即座にメイン基板を復帰させることで、その後の処理を円滑に進めることが可能となる。
【産業上の利用可能性】
【０１４０】
本発明は、プリンタや複合機などの画像処理装置に適用できる。
【図面の簡単な説明】
【０１４１】
【図１】画像処理装置が備えるメイン基板およびサブ基板を示す機能ブロック図である。
【図２】画像処理装置のハードウェア構成を示す図である。
【図３】システム情報を表示する通常モード用ＵＩ画面の一例を示す図である。
【図４】ステータス情報を表示する通常モード用ＵＩ画面の一例を示す図である。
【図５】送信先情報を表示する通常モード用ＵＩ画面の一例を示す図である。
【図６】送信先情報の変更を促す通常モード用ＵＩ画面の一例を示す図である。
【図７】ネットワーク設定情報の変更を促す通常モード用ＵＩ画面の一例を示す図である。
【図８】管理者情報の変更を促す通常モード用ＵＩ画面の一例を示す図である。
【図９】管理テーブル記憶部が記憶する管理テーブルの一例を示す図である。
【図１０】メニューを表示する省電力モード用ＵＩ画面の一例を示す図である。
【図１１】送信先情報の変更を促す省電力モード用ＵＩ画面の一例を示す図である。
【図１２】情報を一覧表示する省電力モード用ＵＩ画面の一例を示す図である。
【図１３】省電力モード用ＵＩデータ生成部が生成する解析用テーブルの一例を示す図である。
【図１４】省電力モードへ移行するときのメイン基板における処理の流れを示すフローチャートである。
【図１５】サブ基板の処理の流れを示すフローチャートである。
【図１６】メイン基板における、通常モードへの復帰処理の流れを示すフローチャートである。
【符号の説明】
【０１４２】
１  画像処理装置
２  外部機器
１１  メイン基板（第１制御手段）
１２  サブ基板（第２制御手段）
２１  電力制御部
２２  ステータス情報抽出部
２３  設定情報格納部
２４  設定情報更新部
２５  メイン制御部
２６  ＵＩデータ生成部
２６ａ  通常モード用ＵＩデータ生成部（第１送信手段）
２６ｂ  省電力モード用画面データ生成部（データ転送手段）
２６ｃ  管理テーブル記憶部
３１  ＵＩデータ表示切替部
３２  ＵＩデータ格納部（記憶部）
３３  ＵＩ処理部（更新要求受付手段、第２送信手段）
３４  解析部（処理手段）
３５  更新情報通知部（更新要求出力手段）
３６  復帰処理部（復帰手段）
【図１】
0004519792.tif 000002
【図２】
0004519792.tif 000003
【図３】
0004519792.tif 000004
【図４】
0004519792.tif 000005
【図５】
0004519792.tif 000006
【図６】
0004519792.tif 000007
【図７】
0004519792.tif 000008
【図８】
0004519792.tif 000009
【図９】
0004519792.tif 000010
【図１０】
0004519792.tif 000011
【図１１】
0004519792.tif 000012
【図１２】
0004519792.tif 000013
【図１３】
0004519792.tif 000014
【図１４】
0004519792.tif 000015
【図１５】
0004519792.tif 000016
【図１６】
0004519792.tif 000017